(57)【要約】      （修正有）【課題】小型で、かつ十分な強度を確保した蓋体構造を提供する。【解決手段】本体に対して開閉する蓋体は板金部材１を有し、前記板金部材の両端を折り曲げて形成した２つの腕形状部１ａ、１ｂに軸穴を設けるとともに、前記２つの腕形状部に挟まれる部分に前記板金をカール曲げして形成したカール曲げ形状部１ｃを形成し、前記２つの腕形状部に設けた軸穴と、前記カール曲げ形状部に軸を挿通させることで、前記本体に軸支されることを特徴とする。【選択図】図１
2009021103.tif 000002
【特許請求の範囲】
【請求項１】
本体に対して開閉する蓋体は板金部材を有し、前記板金部材の両端を折り曲げて形成した２つの腕形状部に軸穴を設けるとともに、前記２つの腕形状部に挟まれる部分に前記板金をカール曲げして形成したカール曲げ形状部を形成し、前記２つの腕形状部に設けた軸穴と、前記カール曲げ形状部に軸を挿通させることで、前記本体に軸支されることを特徴とする蓋体構造。
【請求項２】
前記カール曲げ形状部は前記軸を半周覆う形状であることを特徴とする請求項１に記載の蓋体構造。
【請求項３】
前記カール曲げ形状部と前記腕形状部の一方との間に、前記蓋体を開く方向に付勢するねじりばねが配置されることを特徴とする請求項１または２に記載の蓋体構造。
【請求項４】
前記ねじりばねは、前記蓋体が取り付けられる本体のシャーシと電気的に接続されることを特徴とする請求項３に記載の蓋体構造。
【発明の詳細な説明】
【技術分野】
【０００１】
本発明は例えば電池蓋等の蓋体構造に関するものである。
【背景技術】
【０００２】
従来、電池蓋等の蓋体構造としては、例えばカメラの電池蓋をヒンジによって開閉するようになされたものがある（特許文献１参照）。特許文献１に記載されている電池蓋は、軸支持部を持つヒンジ板金、軸、ヒンジ板金に対してスライド可能な電池蓋体、電池接片により構成されている。ヒンジ板金の軸支持部は、カール曲げにより形成されている。
【特許文献１】特開２００３−１４２８４１号公報
【発明の開示】
【発明が解決しようとする課題】
【０００３】
このようなヒンジ構造をもつ蓋は、ユーザが蓋が開いている状態でさらに不意に開き方向に力をかけても壊れないように、ヒンジ板金に十分な強度を持たせている。
【０００４】
特許文献１のようにヒンジ板金の軸支持部をカール曲げにより形成する構成では、ヒンジ板金の板厚を十分にとって強度を持たせている。しかしながら、そのために電池蓋ユニットがヒンジ板金の板厚方向に大きくなり、しいてはカメラ全体の大型化になるという問題がある。
【０００５】
本発明は、上記の事情に鑑みてなされたもので、小型でかつ十分な強度を有する電池蓋のヒンジ構造を提供することを目的とする。
【課題を解決するための手段】
【０００６】
本発明の蓋体構造は、本体に対して開閉する蓋体は板金部材を有し、前記板金部材の両端を折り曲げて形成した２つの腕形状部に軸穴を設けるとともに、前記２つの腕形状部に挟まれる部分に前記板金をカール曲げして形成したカール曲げ形状部を形成し、前記２つの腕形状部に設けた軸穴と、前記カール曲げ形状部に軸を挿通させることで、前記本体に軸支されることを特徴とする。
【発明の効果】
【０００７】
本発明によれば、軸支部分にかかる応力を分散させることができるために、蓋体を大型化することなく十分な強度を確保することができる。したがって、小型かつ強靭な蓋体構造を実現することができる。
【発明を実施するための最良の形態】
【０００８】
以下、図面を参照して本発明の実施形態を説明する。
【０００９】
図１は本発明の蓋体構造を実施したデジタルカメラの電池蓋体の構成を示す分解斜視図である。電池蓋体はデジタルカメラ本体にして開閉するように取り付けられる。１はヒンジ板金（板金部材）であり、軸支持部は軸穴を持つ腕形状部１ａ、１ｂとカール曲げ形状部１ｃにより形成されている。図示するように、ヒンジ板金１はその両端を折り曲げ、その折曲げた部分の端部に軸穴を設けた腕形状部１ａ、１ｂを形成している。したがって、腕形状部１ａ、１ｂの軸受長さはヒンジ板金１の板厚となる。さらに、腕形状部１ａと腕形状部１ｂとに挟まれる部分にカール曲げ形状部１ｃを形成している。腕形状部１ａ、１ｂの軸穴に軸２を挿通すると、カール曲げ形状部１ｃにも挿通するように形成されている。ロックレバー５は、スライドすることにより電池蓋のスライド解除と不図示の電池蓋検出スイッチをＯＦＦにするための部材である。６はロックレバーを付勢するための押しばねである。３はモールド部材の蓋であり、電池蓋を閉じたときに複数の爪がカメラ本体側の爪と嵌合する。８ａ、８ｂは電池接片である。９ａ、９ｂ、１０ａ、１０ｂはモールドのショート防止部材であり、ユーザが電池を誤って逆挿入したときに電池と電池接片８ａ、８ｂが接しないようにするための部材である。ショート防止部材９ａ、９ｂ、１０ａ、１０ｂは電池接片８ａ、８ｂに熱かしめにより固定される。そして電池接片８ａ、８ｂは電池接片ベース７に熱かしめにより固定される。蓋３の上にロックレバー５と押しばね６を載せ、その上にヒンジ板金１、さらに電池接片ベース７を載せてビス１１ａ、１１ｂ、１１ｃにより電池接片ベース７と蓋３が締結される。この構成により、電池接片ベース７、蓋３、ロックレバー５及び押しばね６がヒンジ板金１に対してスライド可能となる。
【００１０】
このユニット状態で電池蓋を開き方向に付勢するためのねじりばね４をヒンジ板金１のカール曲げ形状１ｃと軸穴を持つ腕形状１ｂ（一方の腕形状部）の間に配置され、ねじりばね４の一端をヒンジ板金１の穴１ｄに引掛ける。電池蓋ユニットをカメラ本体に組み付け、軸２をカメラ本体の軸受部とヒンジ板金の腕形状部１ａおよび腕形状部１ｂの軸穴、カール曲げ形状部１ｃ、ねじりばね４に貫通させる。このとき、ねじりばね４のもう一端をカメラ本体のシャーシ２１に当接させる。図２はそのときの状態を示した斜視図である。この構成により、電池蓋は軸２に対して回転自在にカメラ本体に固定される。ねじりばね４は電池蓋を開く方向に常時付勢しており、同時にシャーシに対して常に当接する方向に付勢されるため、ヒンジ板金１と軸２、及びねじりばね４がグランド電位を持つシャーシ２１と電気的に接続され、安定した導通をとることができる。
【００１１】
図２の状態からさらに電池蓋が開く方向に力が加えられると、その応力はヒンジ板金１の軸支持部に集中する。特許文献１のようにヒンジ板金の軸支持部がカール曲げ形状のみで構成されているときは、根元に集中する応力に対して板厚を大きくする以外にヒンジ板金の強度を持たせる方法はない。また、図３、図４に示す従来例ではヒンジ板金の軸穴を形成している腕の厚さを大きくして強度を持たせているが、図２のように軸のすぐ近くに電池が位置する場合は、腕の厚みを大きくすることができない。そこで、本発明のようにヒンジ板金の軸支持部をカール曲げ形状と軸穴を持つ腕形状とで構成することにより、根元に集中する応力をそれぞれで分散し、薄い板厚で、かつ小さい腕幅でも十分な強度を確保することができる。
【００１２】
図１のヒンジ板金１のカール曲げ形状１ｃは、軸２をおよそ一周覆う形状としているが、軸２を半周覆う形状としても良い。板金のカール曲げは、寸法精度が出にくい加工法であるが、軸２を半周覆う形状とすることにより容易に加工することができるようになる。カール曲げ形状が半周になったとしても本実施形態では、電池蓋を開いたときにカール曲げ形状と軸が当接するため、ヒンジ板金の強度が落ちることはない。
【００１３】
以上実施形態に基づいて本発明を説明したが、本発明は上記した実施形態に限定されるものではなく、本発明の要旨の範囲内で種々の変形や応用が可能なことは勿論である。
【図面の簡単な説明】
【００１４】
【図１】本発明における電池蓋ユニットの構成を示す分解斜視図。
【図２】本発明における電池蓋ユニットをカメラ本体に取り付けたときの斜視図。
【図３】従来の電池蓋ユニットの構成を示す分解斜視図。
【図４】従来の電池蓋ユニットをカメラ本体に取り付けたときの斜視図。
【符号の説明】
【００１５】
１  ヒンジ板金
１ａ、１ｂ  軸穴を持つ腕形状部
１ｃ  カール曲げ形状部
１ｄ  ねじりばね引掛け穴
２  軸
３  蓋
４  ねじりばね
５  ロックレバー
６  押しばね
７  電池接片ベース
８ａ、８ｂ  電池接片
９ａ、９ｂ  ショート防止部材
１０ａ、１０ｂ  ショート防止部材
１１ａ、１１ｂ、１１ｃ  ビス
２１  シャーシ
１０１  ヒンジ板金
１０２  軸
１０３  蓋
１０４ａ、１０４ｂ  ビス
１０５  ゴムカバー
１０６  ビス
１０７  固定板金
１１１  カメラ本体
【図１】
2009021103.tif 000003
【図２】
2009021103.tif 000004
【図３】
2009021103.tif 000005
【図４】
2009021103.tif 000006